(57)【特許請求の範囲】
【請求項１】
空袋を開口状態に保持し、この開口側から手で持った葉菜類を袋中に挿入する袋詰め装置において、袋容器（１）から空袋を一枚宛取り出す袋取り出し機構（２）と、該袋取り出し機構（２）で取り出した空袋の袋口を開口状態に保持する袋開口保持機構（３）と、該袋中へ液体を霧状にして吹き込む液体吹き込み機構（４）とを設け、該液体吹き込み機構（４）は、液体噴出口（２５）と空気噴出口（２６）を有するパイプ（２７）が電動シリンダ（２８）で空袋上方の略中央へ向けて往復移動可能に構成するとともに、該パイプ（２７）を袋口の略中央へ移動させ、前記空気噴出口（２６）から、まず空気のみを空袋中へ吹き込み後、液体噴出口（２５）から液体を吹き込み、更に、パイプ（２７）を元の位置に戻した後に、葉菜類の挿入を行うことを特徴とする葉菜類の袋詰め装置。
【請求項２】
袋中に吹き込む液体が水である請求項１に記載の葉菜類の袋詰め装置。
【発明の詳細な説明】
【０００１】
【産業上の利用分野】
本発明は、ほうれん草や春菊等の葉菜類をビニール袋等の袋中に挿入して袋詰めを行う葉菜類の袋詰め装置に関する。
【０００２】
【従来の技術】
近年において、葉菜類は小分けにして袋詰めした後に農家から市場へ出荷されるようになりつつある。
葉菜類の袋詰め作業を効率的に行うため、例えば、特開平６−１９１５０８号公報に記載の包装装置が提案されている。この包装装置は、耳部を有する多数の空袋を該耳部の係合孔で吊り下げた状態に受板上に配置し、ブロワーで袋口を開口させた後に葉菜類を株元から袋中に手で挿入し、切取線より袋を切り離すようにしている。
【０００３】
この包装装置では、手で葉菜類を袋中に挿入する際に葉菜類の株元が袋の内面に当たって折れ曲がったり引っ掛かって入り難いという欠点がある。
また、特開平６−１３１６号公報に葉菜類の袋詰め方法及び袋詰め装置が記載してあるが、その要部は、前記構成に追加して上下するじょうごを設け、葉菜類を手で袋中に挿入する代わりにじょうご中に葉菜類を挿入した状態でじょうごが袋中に入り葉菜類を袋中に残してじょうごのみを上方に引き抜くようにしたものである。
この袋詰め装置では、前記の包装装置と同様に葉菜類の株元やじょうごが袋の内部に引っ掛かったり、じょうごを袋中から引き抜く際に葉菜類がじょうごと一緒に袋中から引き出されてしまう場合があり、じょうごの上下動も作業者にとって危険である。
【０００４】
【発明が解決しようとする課題】
本発明は、じょうご等の器具を用いることなく直接葉菜類を袋中に手で挿入するに際して、葉菜類が袋の内面に引っ掛かることなく円滑に挿入できるようにした袋詰め装置を提案するものである。
【０００５】
【課題を解決するための手段】
本発明では、空袋を開口状態に保持し、この開口側から手で持った葉菜類を袋中に挿入する袋詰め装置において、袋容器１から空袋を一枚宛取り出す袋取り出し機構２と、該袋取り出し機構２で取り出した空袋の袋口を開口状態に保持する袋開口保持機構３と、該袋中へ液体を霧状にして吹き込む液体吹き込み機構４とを設け、該液体吹き込み機構４は、液体噴出口２５と、空気噴出口２６を有するパイプ２７が電動シリンダ２８で空袋上方の略中央へ向けて往復移動可能に構成するとともに、該パイプ（２７）を袋口の略中央へ移動させ、前記空気噴出口２６から、まず空気のみを空袋中へ吹き込み後、液体噴出口２５から液体を吹き込み、更に、パイプ（２７）を元の位置に戻した後に、葉菜類の挿入を行うことを特徴とする葉菜類の袋詰め装置の構成とした。
また、袋中に吹き込む液体が水であることを特徴とする葉菜類の袋詰め装置とした。
【０００６】
【発明の作用及び効果】
袋中に葉菜類を挿入する際に葉菜類が柔らかい袋の内面に接触して引っ掛かろうとしても、霧状になって袋の内面に付着する液体が葉菜類を滑り易くして引っ掛かりを防ぎ、柔らかい袋であっても底までスムースに挿入できることになる。
前記袋詰め装置であれば、作業者は袋開口保持機構３で開口状態になった袋中へ所定量の葉菜類を手で持って挿入するだけでよいため、作業能率が向上する。
尚、空袋中にまず空気を吹き込んで袋を膨らませた後に液体を霧状にして吹き込むようにすれば、霧状になった液体が袋の内面にまんべんなく付着するため、葉菜類を袋の底までスムースに挿入できる。
また、袋中へ霧状にして吹き込む液体は水であれば葉菜類への水分補給ともなり、葉菜類がみずみずしくなって新鮮さが増す効果もある。
【０００７】
【実施例】
次に、本発明を実施した葉菜類の袋詰め装置を図面を参照しながら説明する。
四角ボックス状の機枠５の上部中央に袋開口保持機構３を設け、内部には空袋を多数枚重ねて収納する袋容器１とこの袋容器１中の最上部の空袋を接着して１枚宛取り出し袋開口保持機構３へ供給する袋取出し機構２を設け、外部の袋開口保持機構３の側部に開口状態の袋中へ液体を霧状にして吹き込む液体吹き込み機構４を設けている。
まず、機枠５の内部から説明すると、袋容器１は、四角形あるいは台形のビニール袋からなる空袋を多数枚重ねて収納する容器で上方が開口し、ばね６と枢支軸７で支持台８へ傾斜状に支持し、袋供給時には、取出アーム９の回動範囲である中央側へ移動するようにしている。
【０００８】
取出アーム９は機枠５へ支軸１１で枢支し、袋取出時に袋容器１中の最上側の空袋の袋口近くに先端の当接部１０が接触してこの当接部１０に設けるとりもち状の接着剤で空袋を１枚宛付着して取り出し、袋開口保持機構３の下方へ持ち上げ供給する。
袋開口保持機構３の下方には、機枠５の側部に設けた取出口１３へ向けて傾斜した排出シュート１２を設け、袋詰めされた葉菜類が落下した勢いで取出口１３へ向けて滑り出るようにしている。
【０００９】
袋開口保持機構３は、図２に示す如く、機枠５内の上部に設ける水平の支持台１４に設けた丸孔１５の上側にこの丸孔１５と略同径の丸孔１６を有する作動盤１７を丸孔１６の周囲四等配位置に設ける支持杆１８とばね１９で上方へ弾発支持し、この作動盤１７の下面側に係合杆１９を丸孔１６の中央に向けて突出する状態に支軸２０で支持している。この係合杆１９は、丸孔１６の周囲６等配位置に設けるもので、ばね２１で水平に保持していて、作動盤１７を支持台１４に向けて降下すると、ばね２１の端部が支持台１４に設ける突起２２に当接して係合杆１９が下方から斜め外に向けて回動し、開口した袋口の内側に係合して垂直下方に向かった状態で空袋を開口状態で保持する。
【００１０】
２３は開口アームで、水平往復動して当接部２４が袋取出アーム９の当接部１０とで袋口の外側を挟み接着して開くようになる。このようにして開口状態となった袋口に前記係合杆１９が内側から係合して空袋を吊り下げるようになる。
袋開口保持機構３の外側側部に設ける液体吹き込み機構４は、液体噴出口２５と空気噴出口２６を有するパイプ２７が電動シリンダ２８で、作動盤１９の側部から丸孔１６の中央へ向けて往復移動するようにしている。２９は空気の圧縮機、３０は定量吐出ポンプ、３１は液体タンクである。
【００１１】
３２は、袋取りスイッチで、この袋取りスイッチ３２を押すと、袋取出し機構２で空袋を袋開口保持機構３に開口状態で保持させ、液体吹き込み機構４のパイプ２７が袋口の中央へ移動して液体を袋中へ霧状にして噴出し元の位置へ戻る。
作業者が葉菜類を袋中へ手で持って挿入し、再び袋取りスイッチ３２を押すと袋開口保持機構３の作動盤１７が上昇して葉菜類を詰めた袋を放し排出シュート１２上へ落下させ取出口１３から機枠５の外へ排出し、再び空袋を袋口開口保持機構３に保持し、液体吹き込み機構４で液体を袋口に吹き込み葉菜類を挿入可能にして待機する状態となる。
【図面の簡単な説明】
【図１】  本発明実施例の側断面図である。
【図２】  実施例の一部拡大側断面図である。
【符号の説明】
１    袋容器
２    袋取出し機構
３    袋開口保持機構
４    液体吹き込み機構
２５  液体噴出口
２６  空気噴出口
【図１】
0003724596.tif 000002
【図２】
0003724596.tif 000003